(57)【特許請求の範囲】
【請求項１】
車両の前後方向に延びるシャシフレームに尿素タンクアッセンブリを取り付ける尿素タンク取付構造において、
前記シャシフレームに前後方向に離間して設けられた一対のベースブラケットと、
前記尿素タンクアッセンブリに設けられ前記一対のベースブラケットに着脱可能な保持部材で固定される取付ブラケットと、
一方のベースブラケットに位置して前記取付ブラケットに設けられ、前記尿素タンクアッセンブリを保持するための支持用鉤を有する支持用フックと、
他方のベースブラケットに位置して前記取付ブラケットに設けられ、他方のベースブラケットの上端に当接して前記尿素タンクアッセンブリの回転を防止する回り止めフックとを備え、
前記取付ブラケットには、
前記他方のベースブラケットに着脱可能な保持部材で固定される自由側締結板部が形成され、
前記回り止めフックは、
前記自由側締結板部に設けられ自由側締結板部より前方に延出する前延部と、
前記前延部の先端から車幅方向内側に延びる内延部と、
前記内延部の先端から上方に延びる上延部と、
前記上延部の先端から後方に延び前記他方のベースブラケット上に載置される回り止め爪部とを
備えたことを特徴とする尿素タンク取付構造。
【請求項２】
前記支持用フックは、
前記取付ブラケットから上方に延びるアーム部と、
前記アーム部から車幅方向内側に延び前記一方のベースブラケット上に載置される支持用爪部とを
備え、
前記支持用鉤は、前記支持用爪部から下方に延びる
請求項１に記載の尿素タンク取付構造。
【発明の詳細な説明】
【技術分野】
【０００１】
本発明は、尿素タンクを車両に搭載すべく保持する尿素タンクブラケットの取付構造に関するものである。
【背景技術】
【０００２】
図５に示すように、車両の前後方向に延びるシャシフレーム１に尿素タンクアッセンブリ３を取り付ける尿素タンク取付構造には、シャシフレーム１に一対のベースブラケット６０ａ、６０ｂを前後方向に離間して設ける一方、尿素タンクアッセンブリ３に前後方向に延びる取付ブラケット６１を設け、一対のベースブラケット６０ａ、６０ｂに取付ブラケット６１をボルト締めするものがある。
【０００３】
また、かかる尿素タンクアッセンブリ３の取付構造には、取付ブラケット９の後部に位置決め用の支持用フック６２を設け、後側のベースブラケット６０ｂに支持用フック６２を掛けることでベースブラケット６０ａ、６０ｂのボルト孔の位置と取付ブラケットのボルト孔の位置とが合うようにしたものがある。
【先行技術文献】
【特許文献】
【０００４】
【特許文献１】特開２００５−２７３５７８号公報
【特許文献２】特開２０１３−０９２１１４号公報
【特許文献３】特開２０１３−２０３３２９号公報
【発明の概要】
【発明が解決しようとする課題】
【０００５】
ところで、例えば尿素タンクアッセンブリ３の前端に近接するキャブ６３が後方に延長され、キャブ６３に昇降するためのステップ６４が尿素タンクアッセンブリ３の位置に配置されるような設計変更がなされる場合、尿素タンクアッセンブリ３を現状より後方にずらすべく取付ブラケット６１を前後に長く形成して後方に延長させることが考えられる。
【０００６】
これによれば、小さな設計変更で尿素タンクアッセンブリ３を後方にずらすことができ、安価に対応することができた。
【０００７】
しかしながら、図６に示すように、取付ブラケット６１が前後に長くなると、後側のベースブラケット６０ｂに支持用フック６２を掛けたとき、取付ブラケット６１が傾くことで発生する取付ブラケット前側のボルト孔６５のずれ量が大きくなり、取付ブラケット６１の前側を持ち上げないと前側のベースブラケット６０ａにボルト締めできず、シャシフレーム１に尿素タンクアッセンブリ３を効率よく取り付けることができないという課題が発生した。
【０００８】
本発明の目的は、シャシフレームに尿素タンクアッセンブリを効率よく取り付けることができる尿素タンク取付構造を提供することにある。
【課題を解決するための手段】
【０００９】
上述の目的を達成するため、本発明は、車両の前後方向に延びるシャシフレームに尿素タンクアッセンブリを取り付ける尿素タンク取付構造において、前記シャシフレームに前後方向に離間して設けられると共にいずれか一方の上端に位置決め溝が形成された一対のベースブラケットと、前記尿素タンクアッセンブリに設けられ前記一対のベースブラケットにボルト締めされる取付ブラケットと、前記位置決め溝が形成された一方のベースブラケットに位置して前記取付ブラケットに設けられ、前記位置決め溝に嵌合して前記尿素タンクアッセンブリを保持するための係合ピンを有する支持用フックと、他方のベースブラケットに位置して前記取付ブラケットに設けられ、他方のベースブラケットの上端に当接して前記尿素タンクアッセンブリの回転を防止する回り止めフックとを備えたものである。
【発明の効果】
【００１０】
本発明によれば、シャシフレームに尿素タンクアッセンブリを効率よく取り付けることができる。
【図面の簡単な説明】
【００１１】
【図１】本発明の一実施の形態に係る尿素タンクアッセンブリの斜視図である。
【図２】尿素タンクアッセンブリの側面図である。
【図３】シャシフレームに取り付けられたベースブラケットの斜視図である。
【図４】（ａ）はベースブラケットに尿素タンクアッセンブリを取り付ける状態を示す側面図であり、（ｂ）は（ａ）の要部拡大背面図である。
【図５】尿素タンクアッセンブリの配置を説明する平面説明図である。
【図６】（ａ）は尿素タンクアッセンブリが傾いたときのボルト孔のズレを説明する側面説明図であり、（ｂ）は（ａ）の背面図であり、（ｃ）は取付ブラケットが長くなることでボルト孔のズレ量が大きくなることを説明する説明図である。
【発明を実施するための形態】
【００１２】
以下、本発明の好適な実施の形態を添付図面にしたがって説明する。なお、後述する実施の形態における前後左右は、車両の走行方向を基準とする。例えば、車両走行方向前方は単に前方、車両走行方向後方は単に後方という。
【００１３】
図１に示すように、尿素タンク取付構造は、車両の前後方向に延びるシャシフレーム１に前後方向に離間して設けられた一対のベースブラケット２ａ、２ｂと、尿素タンクアッセンブリ３に設けられ一対のベースブラケット２ａ、２ｂにボルト締めされるサブアッセンブリ４とを備える。
【００１４】
シャシフレーム１は、車両の両側に配置され前後方向に延びる一対のサイドメンバ５と、サイドメンバ５間に設けられた複数のクロスメンバ６とからなる。シャシフレーム１は、キャブ（図示せず）を安定して支持できるよう前側が後側より幅広に形成されている。サイドメンバ５の側面には、前後両端部に形成され車両の前後方向と平行に延びる平行面部５ａ、５ｃと、前後の平行面部５ａ、５ｃ間に形成され前方に向かうにつれて幅が広くなるように車幅方向外側に傾斜する傾斜面部５ｂとが形成されている。
【００１５】
図１及び図３に示すように、前側のベースブラケット（以下、前ベースブラケット）２ａは、傾斜面部５ｂに取り付けられる。前ベースブラケット２ａは、鋼板を断面略コ字状に屈曲して形成されると共に、上下方向に長く形成されている。具体的には、前ベースブラケット２ａは、傾斜面部５ｂにボルト締めされるシャシ前側締結面部７と、シャシ前側締結面部７の前端から車幅方向外側に延びる前面部８と、前面部８の先端から後方に延びて形成され後述するサブアッセンブリ４の取付ブラケット９とボルト締めされるタンク前側締結面部１０とを備える。タンク前側締結面部１０は車両の前後方向と平行となるように形成される。また、タンク前側締結面部１０には、ボルトＢを挿通させるためのボルト孔１１が上下に離間して一対形成されている。前面部８は、上方から視たときタンク前側締結面部と直交するように形成される。前面部８には、車幅方向外側の上端を内側より一段低く形成してなる下段部１２が形成されており、下段部１２の高さ位置とタンク前側締結面部１０の上端位置とが同じにされている。また、シャシ前側締結面部７とタンク前側締結面部１０との間には、水平な補強板１３が設けられており、シャシ前側締結面部７及びタンク前側締結面部１０の形状を一定に保持するようになっている。
【００１６】
後側のベースブラケット（以下、後ベースブラケット）２ｂは、後側の平行面部５ｃに取り付けられる。後ベースブラケット２ｂは、鋼板を屈曲して形成されると共に、上下に長く形成されている。具体的には、後ベースブラケット２ｂは、後側の平行面部５ｃにボルト締めされるシャシ後側締結面部１４と、シャシ後側締結面部１４の前端から車幅方向外側に延びる後面部１５と、後面部１５の先端から前方に延びて形成され後述するサブアッセンブリ４の取付ブラケット９とボルト締めされるタンク後側締結面部１６と、タンク後側締結面部１６の先端から車幅方向内側に延びる折返し面部１７とを備える。シャシ後側締結面部１４及びタンク後側締結面部１６は、車両の前後方向と平行となるように形成される。タンク後側締結面部１６の上端には、下方に延びるスリット状のボルト避け溝１８が形成されている。また、タンク後側締結面部１６には、ボルトを挿通させるためのボルト孔１９が上下に離間して一対形成されている。後面部１５及び折返し面部１７は、上から視たときシャシ後側締結面部１４及びタンク後側締結面部１６と直交するように形成される。また、シャシ後側締結面部１４、後面部１５、タンク後側締結面部１６及び折返し面部１７は、上端の高さ位置が同じとなるように形成されている。
【００１７】
尿素タンクアッセンブリ３は、尿素水を収容する尿素水タンク２０と、尿素水タンク２０内の尿素水を図示しない排気浄化装置に供給する尿素水供給ユニット２１とを備える。尿素水供給ユニット２１は、尿素水タンク２０に着脱自在に設けられた蓋部２２と、蓋部２２に設けられた尿素水の吸込管、戻し管、加温管等の配管２３と、蓋部２２に設けられた温度センサ、濃度センサ、温度センサ等のセンサ（図示せず）と、尿素水を吸い込むためのポンプ２４とを備える。
【００１８】
サブアッセンブリ４は、尿素水タンク２０を保持するタンク保持ブラケット２５と、ポンプ２４を保持するポンプ保持ブラケット２６と、タンク保持ブラケット２５及びポンプ保持ブラケット２６に設けられ前ベースブラケット２ａ及び後ベースブラケット２ｂにボルト締めされる取付ブラケット９とを備える。
【００１９】
タンク保持ブラケット２５は、尿素水タンク２０を上面及び前面（尿素水供給口がある側の面）を露出させて収容するバケット状に形成されており、尿素水タンク２０の底面を受ける底部２７と、尿素水タンク２０の背面を受ける背部２８と、尿素水タンク２０の側面を受ける側部２９とを備える。
【００２０】
図１及び図２に示すように、取付ブラケット９は、前後方向に長い矩形状に形成され、前端部に前ベースブラケット２ａにボルト締めされる自由側締結板部３０が形成されると共に、後端部に後ベースブラケット２ｂにボルト締めされる基端側締結板部３１が形成される。具体的には、取付ブラケット９は、自由側締結板部３０と、自由側締結板部３０の後端から車幅方向外側に延びる外延部３２と、外延部３２の先端から後方に延びて形成されタンク保持ブラケット２５に取り付けられるタンク取付板部３３と、タンク取付板部３３の後端から車幅方向内方に延びて形成されポンプ保持ブラケット２６に取り付けられるポンプ取付板部３４と、ポンプ取付板部３４の先端から後方に延びる基端側締結板部３１とを備える。
【００２１】
基端側締結板部３１には、後ベースブラケット２ｂのボルト孔１９と重なるボルト孔３５及びボルト溝３６が形成されている。ボルト溝３６はボルトＢのネジ部３７を挿通させるものであり、基端側締結板部３１の下端に上方に延びてスリット状に形成されている。図２及び図４（ｂ）に示すように、基端側締結板部３１には、尿素タンクアッセンブリ３を保持するための支持用鉤３８を有する支持用フック３９が設けられている。具体的には、支持用フック３９は、基端側締結板部３１に溶接され基端側締結板部３１から上方に延出するアーム部４０と、アーム部４０から車幅方向内側に延び後ベースブラケット２ｂ上に載置される支持用爪部４１を備える。
【００２２】
自由側締結板部３０には、前ベースブラケット２ａのボルト孔１１と重なるボルト孔４３が形成されている。また、自由側締結板部３０には、前ベースブラケット２ａの上端に当接して尿素タンクアッセンブリ３の回転を防止するための回り止めフック４４が設けられている。回り止めフック４４は、自由側締結板部３０に溶接され自由側締結板部３０より前方に延出する前延部４５と、前延部４５の先端から車幅方向内側に延びる内延部４６と、内延部４６の先端から上方に延びる上延部４７と、上延部４７の先端から後方に延び前ベースブラケット２ａの下段部１２上に載置される回り止め爪部４８とを備える。前延部４５、内延部４６及び上延部４７は、回り止め爪部４８が下段部１２上に載置されたときであっても前ベースブラケット２ａとは当接しないように形成されている。
【００２３】
タンク取付板部３３は、側面視矩形状に形成されており、前側には軽量化のための開口４９が形成され、後側には、タンク保持ブラケットの背部２８が取り付けられる。
【００２４】
また、外延部３２には、サブアッセンブリ４を尿素タンクアッセンブリ３ごと吊るための前側玉掛けフレーム５０が設けられている。
【００２５】
ポンプ保持ブラケット２６は、ポンプ取付板部３４から車幅方向外方に延びる。ポンプ保持ブラケット２６の先端部には、サブアッセンブリ４を尿素タンクアッセンブリ３ごと吊るための後側玉掛けフレーム５１が設けられている。後側玉掛けフレーム５１は、後方に延びて形成されており、後端部がワイヤやチェーン等の索で吊られるようになっている。
【００２６】
なお、支持用鉤３８は取付ブラケット９の前側に取り付けられても良い。この場合、取付ブラケット９の基端側と自由側が入れ替わる。具体的には、取付ブラケット９の前側に基端側締結板部３１が形成されると共に、支持用フック３９が設けられ、後側に自由側締結板部３０が形成されると共に、回り止めフック４４が設けられる。
【００２７】
次に本実施の形態の作用を述べる。
【００２８】
図１及び図３に示すように、シャシフレーム１に尿素タンクアッセンブリ３を取り付ける場合、まず、サイドメンバ５の側面に前ベースブラケット２ａと後ベースブラケット２ｂを前後に離間して取り付けると共に、尿素タンクアッセンブリ３にサブアッセンブリ４を取り付ける。また、タンク後側締結面部１６の下側のボルト孔１９には、予めボルトＢをその頭部がタンク後側締結面部１６から離間するように取り付けておく。
【００２９】
この後、図４に示すように、サブアッセンブリ４の前側玉掛けフレーム５０と後側玉掛けフレーム５１に索５２を連結し、尿素タンクアッセンブリ３をサブアッセンブリ４ごと索５２で吊り下げ、前ベースブラケット２ａ及び後ベースブラケット２ｂの上方から下方にサブアッセンブリ４を降ろしながら後ベースブラケット２ｂのタンク後側締結面部１６の位置に取付ブラケット９の基端側締結板部３１を合わせる。
【００３０】
サブアッセンブリ４の基端側締結板部３１が後ベースブラケット２ｂに対する取付位置の高さに近づくと、支持用フック３９の支持用鉤３８が後ベースブラケット２ｂに引っかかると共に、タンク後側締結面部１６の下側に予め取り付けられたボルトＢのネジ部３７が基端側締結板部３１のボルト溝３６内に入り、支持用フック３９の支持用爪部４１が後ベースブラケット２ｂ上に載置される。自由側締結板部３０が前ベースブラケット２ａに対する取付位置まで下がっていない場合、尿素タンクアッセンブリ３及びサブアッセンブリ４の前側が支持用爪部４１を中心として下方に回動する。この後、自由側締結板部３０が前ベースブラケット２ａに対する取付位置まで下がると、回り止めフック４４の回り止め爪部４８が前ベースブラケット２ａの下段部１２上に載って掛かり、支持用爪部４１を中心とする回動が止まる。これにより、取付ブラケット９の自由側締結板部３０が前ベースブラケット２ａのタンク前側締結面部１０の位置に合わされる。すなわち、前ベースブラケット２ａ及び後ベースブラケット２ｂに対して取付ブラケット９が位置決めされ、後ベースブラケット２ｂのボルト孔１９と基端側締結板部３１のボルト孔３５とが重なると共に、前ベースブラケット２ａのボルト孔１１と自由側締結板部３０のボルト孔４３とが重なる。
【００３１】
この後、重なったボルト孔１９、３５及びボルト孔１１、４３にボルトＢをそれぞれ挿通し、前ベースブラケット２ａ及び後ベースブラケット２ｂと取付ブラケット９とをボルト締めすることでシャシフレーム１に尿素タンクアッセンブリ３を容易に取り付けることができる。
【００３２】
このように、シャシフレーム１に前後方向に離間して設けられた一対のベースブラケット２ａ、２ｂと、尿素タンクアッセンブリ３に設けられ一対のベースブラケット２ａ、２ｂにボルト締めされる取付ブラケット９と、ボルト避け溝１８が形成された後ベースブラケット２ｂに位置して取付ブラケット９に設けられ、尿素タンクアッセンブリ３を保持するための支持用鉤３８を有する支持用フック３９と、前ベースブラケット２ａに位置して取付ブラケット９に設けられ、前ベースブラケット２ａの上端に当接して尿素タンクアッセンブリ３の回転を防止する回り止めフック４４とを備えるものとしたため、後ベースブラケット２ｂに支持用フック３９を掛けたとき、取付ブラケット９が傾くのを防ぐことができ、前ベースブラケット２ａのボルト孔１１と取付ブラケット９のボルト孔４３がずれるのを防ぐことができ、シャシフレーム１に尿素タンクアッセンブリ３を効率よく取り付けることができる。
【００３３】
回り止めフック４４は、自由側締結板部３０に設けられ自由側締結板部３０より前方に延出する前延部４５と、前延部４５の先端から車幅方向内側に延びる内延部４６と、内延部４６の先端から上方に延びる上延部４７と、上延部４７の先端から後方に延び前ベースブラケット２ａ上に載置される回り止め爪部４８とを備えるものとしたため、取付ブラケット９が支持用フック３９の支持用爪部４１を中心として回動するとき回り止めフック４４の回り止め爪部４８以外の部分が前ベースブラケット２ａと干渉するのを確実に防ぐことができる。
【００３４】
また、支持用フック３９は、取付ブラケット９から上方に延びるアーム部４０と、アーム部４０から車幅方向内側に延び後ベースブラケット２ｂ上に載置される支持用爪部４１とを備える。支持用鉤３８は、支持用爪部４１から下方に延び、ガイド機能を持たせるものとしたため、取付ブラケット９の前後左右方向の位置を確実に決めることができる。
【符号の説明】
【００３５】
１  シャシフレーム
２ａ  ベースブラケット
２ｂ  ベースブラケット
３  尿素タンクアッセンブリ
９  取付ブラケット
３８  支持用鉤
３９  支持用フック
４４  回り止めフック
【図１】
0006609912.tif 000002
【図２】
0006609912.tif 000003
【図３】
0006609912.tif 000004
【図４】
0006609912.tif 000005
【図５】
0006609912.tif 000006
【図６】
0006609912.tif 000007